(57)【特許請求の範囲】
【請求項１】
第１電線挿入ガイド溝が形成された第１電線挿入ガイド溝形成面を有する第１分割体と、
第２電線挿入ガイド溝が形成された第２電線挿入ガイド溝形成面を有する第２分割体と、
分割体位置決めガイドと
を具備し、
前記第１電線挿入ガイド溝形成面と前記第２電線挿入ガイド溝形成面とが合わされて前記第１分割体及び前記第２分割体が結合体を形成したときに前記第１電線挿入ガイド溝及び前記第２電線挿入ガイド溝は前記結合体を一方側から他方側へ貫通する電線挿入ガイド孔を形成し、
前記分割体位置決めガイドは、前記第１電線挿入ガイド溝形成面と前記第２電線挿入ガイド溝形成面とが接近又は離隔するように前記第１分割体及び前記第２分割体の一方を他方に対して直線的に案内し、
前記第１電線挿入ガイド溝とは別の第１電線引き抜き溝が前記第１電線挿入ガイド溝形成面に形成され、
前記第２電線挿入ガイド溝とは別の第２電線引き抜き溝が前記第２電線挿入ガイド溝形成面に形成され、
前記第１電線挿入ガイド溝形成面と前記第２電線挿入ガイド溝形成面とが合わされて前記第１分割体及び前記第２分割体が前記結合体を形成したときに前記第１電線引き抜き溝及び前記第２電線引き抜き溝は前記結合体を前記一方側から前記他方側へ貫通する電線引き抜き孔を形成する
電線挿入作業補助治具。
【請求項２】
前記分割体位置決めガイドは、前記第１分割体及び前記第２分割体の一方に固定された２本の位置決めピンであり、
前記２本の位置決めピンは、前記第１分割体及び前記第２分割体の他方に形成された位置決めピン配置孔にそれぞれ配置される
請求項１の電線挿入作業補助治具。
【請求項３】
前記第１電線挿入ガイド溝形成面と前記第２電線挿入ガイド溝形成面とが離隔するように前記第１分割体及び前記第２分割体を付勢するばね体を更に具備する
請求項１又は２に記載の電線挿入作業補助治具。
【請求項４】
前記第１電線挿入ガイド溝形成面と前記第２電線挿入ガイド溝形成面とが合わされた状態で前記第１分割体及び前記第２分割体を保持するカムクランプを更に具備する
請求項１乃至３のいずれかに記載の電線挿入作業補助治具。
【請求項５】
電線挿入作業補助治具を用いた電線挿入方法であって、
前記電線挿入作業補助治具は、
第１電線挿入ガイド溝が形成された第１電線挿入ガイド溝形成面を有する第１分割体と、
第２電線挿入ガイド溝が形成された第２電線挿入ガイド溝形成面を有する第２分割体と、
前記第１電線挿入ガイド溝形成面と前記第２電線挿入ガイド溝形成面とが接近又は離隔するように前記第１分割体及び前記第２分割体の一方を他方に対して直線的に案内する分割体位置決めガイドと
を具備し、
前記第１電線挿入ガイド溝とは別の第１電線引き抜き溝が前記第１電線挿入ガイド溝形成面に形成され、
前記第２電線挿入ガイド溝とは別の第２電線引き抜き溝が前記第２電線挿入ガイド溝形成面に形成され、
前記電線挿入方法は、
前記第１電線挿入ガイド溝形成面と前記第２電線挿入ガイド溝形成面とが合わされるように前記第１分割体及び前記第２分割体で結合体を形成するステップと、
前記結合体を形成する前記ステップにおいて前記第１電線挿入ガイド溝及び前記第２電線挿入ガイド溝により前記結合体を一方側から他方側へ貫通するように形成された電線挿入ガイド孔に前記一方側からコンタクトピンを挿入するステップと、
前記他方側から前記電線挿入ガイド孔を介して前記コンタクトピンに電線を挿入するステップと、
前記第１電線挿入ガイド溝形成面と前記第２電線挿入ガイド溝形成面との間に隙間が形成されるように前記第１分割体及び前記第２分割体を分離するステップと、
前記第１分割体及び前記第２分割体の間から前記コンタクトピンと一緒に前記電線を引き抜くステップと
を具備し、
前記結合体を形成する前記ステップにおいて、前記第１電線引き抜き溝及び前記第２電線引き抜き溝は前記結合体を前記一方側から前記他方側へ貫通する電線引き抜き孔を形成し、
前記電線挿入方法は、
前記第１分割体及び前記第２分割体を分離する前記ステップと前記電線を引き抜く前記ステップとの間に、前記第１分割体と前記第２分割体の間において前記電線を前記コンタクトピンと一緒に前記第１電線挿入ガイド溝及び前記第２電線挿入ガイド溝に対応する位置から前記第１電線引き抜き溝及び前記第２電線引き抜き溝に対応する位置へと移動するステップを更に具備する
電線挿入方法。
【請求項６】
前記電線挿入作業補助治具は、前記第１電線挿入ガイド溝形成面と前記第２電線挿入ガイド溝形成面とが離隔するように前記第１分割体及び前記第２分割体を付勢するばね体を更に具備し、
前記第１分割体及び前記第２分割体を分離する前記ステップにおいて、前記ばね体が前記第１分割体及び前記第２分割体を分離する
請求項５の電線挿入方法。
【請求項７】
前記電線挿入作業補助治具は、前記第１電線挿入ガイド溝形成面と前記第２電線挿入ガイド溝形成面とが合わされた状態で前記第１分割体及び前記第２分割体を保持するカムクランプを更に具備し、
前記結合体を形成する前記ステップにおいて、前記カムクランプを操作して前記結合体を形成し、
前記第１分割体及び前記第２分割体を分離する前記ステップにおいて、前記カムクランプを操作して前記第１分割体及び前記第２分割体を分離する
請求項６の電線挿入方法。
【請求項８】
前記結合体を形成する前記ステップにおいて、作業者が前記第１電線挿入ガイド溝形成面と前記第２電線挿入ガイド溝形成面とが合わされるように前記第１分割体及び前記第２分割体を互いに押し付け、
前記コンタクトピンを挿入する前記ステップ及び前記電線を挿入する前記ステップにおいて、前記作業者は前記第１分割体及び前記第２分割体を前記第１電線挿入ガイド溝形成面と前記第２電線挿入ガイド溝形成面とが合わされた状態に保持し、
前記第１分割体及び前記第２分割体を分離する前記ステップにおいて、前記作業者は前記第１分割体及び前記第２分割体を前記第１電線挿入ガイド溝形成面と前記第２電線挿入ガイド溝形成面とが合わされた状態に保持していた力を緩める
請求項６の電線挿入方法。
【発明の詳細な説明】
【技術分野】
【０００１】
本発明は、コンタクトピンに電線を挿入する作業を補助する治具及びコンタクトピンに電線を挿入する方法に関する。
【背景技術】
【０００２】
筒状の物体に電線を挿入するための技術の例を以下に説明する。
【０００３】
特許文献１は、架空送配電線の新規架設工事又は改修工事に用いられるスリーブ電線挿入ガイド具を開示している。架空送配電線の新規架設工事又は改修工事において切断電線の端末処理が行われる。すなわち、電線を工事箇所で切断することで形成される両電線端末部を、スリーブに挿入して突き合せ、圧縮器を用いてスリーブと圧着させて接続する作業が行われる。そのスリーブ電線挿入ガイド具は、軸線方向に分割された一対の分割体と、両分割体を相互対向方向に付勢する幅広のばね体とを備える。両分割体は、円錐状の開口部と、スリーブと略同一の内径及び外径を有し開口部に連通する円筒状の挿入部とを形成する。ばね体は挿入部に固着されている。両分割体間をばね体の付勢力に抗して手で広げて挿入部の端部をスリーブの端部に当接させる。その後、手を離してばね体でスリーブを挟んで挿入部とスリーブとを連接して一体化する。このようにして、スリーブの両端のそれぞれにスリーブ電線挿入ガイド具を取り付ける。両端にスリーブ電線挿入ガイド具が取り付けられたスリーブを接続しようとする両電線端末部の間に配置し、両電線端末部を対向的に前進させてスリーブに挿入する。このとき、電線端末部はスリーブ電線挿入ガイド具の円錐状開口部の内壁に沿ってスリーブへ挿入されるため、電線端末部とスリーブとの間の芯ずれが矯正される形で電線端末部がスリーブに挿入される。その後、スリーブの両端からスリーブ電線挿入ガイド具を取り外し、圧縮器により両電線端末部とスリーブとを圧着する。
【０００４】
特許文献２は、電線が挿入されるべきスリーブの両端に組みつけられて電線の挿入を容易にする挿入補助具を開示している。挿入補助具は、補助具本体と、蝶番とを備える。補助具本体は、二つの縦割り部分から成る。各縦割り部分は、半円錐形部と、半円錐形部に一体に設けられた半円筒形部とを備える。蝶番は二つの縦割り部分を開閉自在に連結する。二つの縦割り部分の半円錐形部は電線の挿入を容易にするラッパ状の開口部を形成する。二つの縦割り部分の半円筒形部がスリーブの端部外周面に係合するように二つの縦割り部分を閉じ、粘着テープで半円筒形部をスリーブに固定する。スリーブに電線を挿入した後は、粘着テープを切り開いて挿入補助具をスリーブから取り外す。
【０００５】
本発明者は、下記のように認識している。特許文献１に開示されたスリーブ電線挿入ガイド具においては、繰り返し使用によりばね体が変形して両分割体が形成する構造が所期の形状からずれる可能性がある。特許文献２に開示された挿入補助具においては、蝶番の遊びのために二つの縦割り部分が形成する構造の形状の精度が低い。したがって、極小径のコンタクトピンへ細物電線を挿入する作業に特許文献１のスリーブ電線挿入ガイド具や特許文献２の挿入補助治具を適用することは困難である。更に、特許文献１のスリーブ電線挿入ガイド具や特許文献２の挿入補助治具だけでは電線挿入作業を行うことはできず、電線挿入作業を行うために他の器材や工具と組み合わせる必要がある。
【先行技術文献】
【特許文献】
【０００６】
【特許文献１】実用新案登録第２５１１８２０号公報
【特許文献２】特開平８−２５０２５７号公報
【発明の概要】
【発明が解決しようとする課題】
【０００７】
本発明の目的は、極小径のコンタクトピンへの細物電線の挿入に適した電線挿入作業補助治具及び電線挿入方法を提供することである。
【課題を解決するための手段】
【０００８】
以下に、（発明を実施するための形態）で使用される番号を用いて、課題を解決するための手段を説明する。これらの番号は、（特許請求の範囲）の記載と（発明を実施するための形態）との対応関係を明らかにするために付加されたものである。ただし、それらの番号を、（特許請求の範囲）に記載されている発明の技術的範囲の解釈に用いてはならない。
【０００９】
本発明による電線挿入作業補助治具（１）は、第１電線挿入ガイド溝（１２）が形成された第１電線挿入ガイド溝形成面（１１）を有する第１分割体（１０）と、第２電線挿入ガイド溝（２２）が形成された第２電線挿入ガイド溝形成面（２１）を有する第２分割体（２０）と、分割体位置決めガイド（３０）とを具備する。前記第１電線挿入ガイド溝形成面と前記第２電線挿入ガイド溝形成面とが合わされて前記第１分割体及び前記第２分割体が結合体（２）を形成したときに前記第１電線挿入ガイド溝及び前記第２電線挿入ガイド溝は前記結合体を一方側（３）から他方側（４）へ貫通する電線挿入ガイド孔（５）を形成する。前記分割体位置決めガイドは、前記第１電線挿入ガイド溝形成面と前記第２電線挿入ガイド溝形成面とが接近又は離隔するように前記第１分割体及び前記第２分割体の一方を他方に対して直線的に案内する。
【００１０】
前記分割体位置決めガイドは、前記第１分割体及び前記第２分割体の一方に固定された２本の位置決めピン（３０）である。前記２本の位置決めピンは、前記第１分割体及び前記第２分割体の他方に形成された位置決めピン配置孔（２５）にそれぞれ配置される。
【００１１】
前記第１電線挿入ガイド溝とは別の第１電線引き抜き溝（１３）が前記第１電線挿入ガイド溝形成面に形成される。前記第２電線挿入ガイド溝とは別の第２電線引き抜き溝（２３）が前記第２電線挿入ガイド溝形成面に形成される。前記第１電線挿入ガイド溝形成面と前記第２電線挿入ガイド溝形成面とが合わされて前記第１分割体及び前記第２分割体が前記結合体を形成したときに前記第１電線引き抜き溝及び前記第２電線引き抜き溝は前記結合体を前記一方側から前記他方側へ貫通する電線引き抜き孔（６）を形成する。
【００１２】
前記電線挿入作業補助治具は、前記第１電線挿入ガイド溝形成面と前記第２電線挿入ガイド溝形成面とが離隔するように前記第１分割体及び前記第２分割体を付勢するばね体４０を更に具備する。
【００１３】
前記電線挿入作業補助治具は、前記第１電線挿入ガイド溝形成面と前記第２電線挿入ガイド溝形成面とが合わされた状態で前記第１分割体及び前記第２分割体を保持するカムクランプ（５０）を更に具備する。
【００１４】
本発明による電線挿入方法は、電線挿入作業補助治具（１）を用いた電線挿入方法である。前記電線挿入作業補助治具は、第１電線挿入ガイド溝（１２）が形成された第１電線挿入ガイド溝形成面（１１）を有する第１分割体（１０）と、第２電線挿入ガイド溝（２２）が形成された第２電線挿入ガイド溝形成面（２１）を有する第２分割体（２０）と、前記第１電線挿入ガイド溝形成面と前記第２電線挿入ガイド溝形成面とが接近又は離隔するように前記第１分割体及び前記第２分割体の一方を他方に対して直線的に案内する分割体位置決めガイド（３０）とを具備する。前記電線挿入方法は、前記第１電線挿入ガイド溝形成面と前記第２電線挿入ガイド溝形成面とが合わされるように前記第１分割体及び前記第２分割体で結合体（２）を形成するステップと、前記結合体を形成する前記ステップにおいて前記第１電線挿入ガイド溝及び前記第２電線挿入ガイド溝により前記結合体を一方側（３）から他方側（４）へ貫通するように形成された電線挿入ガイド孔（５）に前記一方側からコンタクトピンを挿入するステップと、前記他方側から前記電線挿入ガイド孔を介して前記コンタクトピンに電線を挿入するステップと、前記第１電線挿入ガイド溝形成面と前記第２電線挿入ガイド溝形成面との間に隙間が形成されるように前記第１分割体及び前記第２分割体を分離するステップと、前記第１分割体及び前記第２分割体の間から前記コンタクトピンと一緒に前記電線を引き抜くステップとを具備する。
【００１５】
前記第１電線挿入ガイド溝とは別の第１電線引き抜き溝（１３）が前記第１電線挿入ガイド溝形成面に形成される。前記第２電線挿入ガイド溝とは別の第２電線引き抜き溝（２３）が前記第２電線挿入ガイド溝形成面に形成される。前記結合体を形成する前記ステップにおいて、前記第１電線引き抜き溝及び前記第２電線引き抜き溝は前記結合体を前記一方側から前記他方側へ貫通する電線引き抜き孔（６）を形成する。前記電線挿入方法は、前記第１分割体及び前記第２分割体を分離する前記ステップと前記電線を引き抜く前記ステップとの間に、前記第１分割体と前記第２分割体の間において前記電線を前記コンタクトピンと一緒に前記第１電線挿入ガイド溝及び前記第２電線挿入ガイド溝に対応する位置から前記第１電線引き抜き溝及び前記第２電線引き抜き溝に対応する位置へと移動するステップを更に具備する。
【００１６】
前記電線挿入作業補助治具は、前記第１電線挿入ガイド溝形成面と前記第２電線挿入ガイド溝形成面とが離隔するように前記第１分割体及び前記第２分割体を付勢するばね体（４０）を更に具備する。前記第１分割体及び前記第２分割体を分離する前記ステップにおいて、前記ばね体が前記第１分割体及び前記第２分割体を分離する。
【００１７】
前記電線挿入作業補助治具は、前記第１電線挿入ガイド溝形成面と前記第２電線挿入ガイド溝形成面とが合わされた状態で前記第１分割体及び前記第２分割体を保持するカムクランプ（５０）を更に具備する。前記結合体を形成する前記ステップにおいて、前記カムクランプを操作して前記結合体を形成する。前記第１分割体及び前記第２分割体を分離する前記ステップにおいて、前記カムクランプを操作して前記第１分割体及び前記第２分割体を分離する。
【００１８】
前記結合体を形成する前記ステップにおいて、作業者が前記第１電線挿入ガイド溝形成面と前記第２電線挿入ガイド溝形成面とが合わされるように前記第１分割体及び前記第２分割体を互いに押し付ける。前記コンタクトピンを挿入する前記ステップ及び前記電線を挿入する前記ステップにおいて、前記作業者は前記第１分割体及び前記第２分割体を前記第１電線挿入ガイド溝形成面と前記第２電線挿入ガイド溝形成面とが合わされた状態に保持する。前記第１分割体及び前記第２分割体を分離する前記ステップにおいて、前記作業者は前記第１分割体及び前記第２分割体を前記第１電線挿入ガイド溝形成面と前記第２電線挿入ガイド溝形成面とが合わされた状態に保持していた力を緩める。
【発明の効果】
【００１９】
本発明によれば、極小径のコンタクトピンへの細物電線の挿入に適した電線挿入作業補助治具及び電線挿入方法が提供される。
【図面の簡単な説明】
【００２０】
【図１Ａ】図１Ａは、本発明の第１の実施形態に係る電線挿入補助治具の正面図である。
【図１Ｂ】図１Ｂは、第１の実施形態に係る電線挿入補助治具の側面図である。
【図１Ｃ】図１Ｃは、図１Ｂの部分拡大図である。
【図２】図２は、第１の実施形態に係る電線挿入方法のフローチャートである。
【図３】図３は、本発明の第２の実施形態に係る電線挿入補助治具の正面図である。
【発明を実施するための形態】
【００２１】
添付図面を参照して、本発明による電線挿入補助治具及び電線挿入方法を実施するための形態を以下に説明する。
【００２２】
（第１の実施形態）
図１Ａを参照して、本発明の第１の実施形態に係る電線挿入補助治具１は、上側分割体１０と、下側分割体２０と、２つの位置決めガイド３０と、２つのばね体４０と、カムクランプ５０とを備える。
【００２３】
上側分割体１０は、ブロック状に形成されている。上側分割体１０は、平面に形成された電線挿入ガイド溝形成面１１を備える。電線挿入ガイド溝形成面１１には、電線挿入ガイド溝１２と、電線引き抜き溝１３とが形成されている。電線挿入ガイド溝１２及び電線引き抜き溝１３は互いに離れている。上側分割体１０に位置決めガイド３０が固定されている。位置決めガイド３０は電線挿入ガイド溝形成面１１から垂直に突き出している。位置決めガイド３０は、例えば、位置決めピンである。上側分割体１０を貫通するカムクランプ軸部配置孔１５が形成されている。カムクランプ軸部配置孔１５の軸方向は電線挿入ガイド溝形成面１１に垂直である。カムクランプ軸部配置孔１５の一端は電線挿入ガイド溝形成面１１に開口している。
【００２４】
下側分割体２０は、ブロック状に形成されている。下側分割体２０は、平面に形成された電線挿入ガイド溝形成面２１を備える。電線挿入ガイド溝形成面２１には、電線挿入ガイド溝２２と、電線引き抜き溝２３とが形成されている。電線挿入ガイド溝２２及び電線引き抜き溝２３は互いに離れている。下側分割体２０に２つの位置決めガイド配置孔２５が形成されている。位置決めガイド配置孔２５の軸方向は電線挿入ガイド溝形成面２１に垂直である。位置決めガイド配置孔２５の一端は電線挿入ガイド溝形成面２１に開口している。位置決めガイド配置孔２５は、下側分割体２０を貫通しても貫通しなくてもよい。
【００２５】
２つの位置決めガイド配置孔２５に２つの位置決めガイド３０がそれぞれ配置される。位置決めガイド３０は、電線挿入ガイド溝形成面１１と第２電線挿入ガイド溝形成面１２とが向かい合った状態で接近又は離隔するように下側分割体２０を上側分割体１０に対して直線的に案内する。すなわち、位置決めガイド３０は、上側分割体１０及び下側分割体２０の電線挿入ガイド溝形成面１１及び２１に平行な平面内の相対移動を制限することで上側分割体１０及び下側分割体２０の相対位置を規定する。尚、位置決めガイド３０は、上側分割体１０を下側分割体２０に対して直線的に案内するように設けられてもよい。ばね体４０は、電線挿入ガイド溝形成面１１と電線挿入ガイド溝形成面２１とが離隔するように上側分割体１０及び下側分割体を付勢するように設けられる。ばね体４０は、例えば、位置決めガイド３０の周囲に配置されるコイルばねである。尚、位置決めガイド３０、位置決めガイド配置孔２５、及びばね体４０の数は３以上であってもよい。
【００２６】
カムクランプ５０は、電線挿入ガイド溝形成面１１と電線挿入ガイド溝形成面２１とが合わされた状態（面接触した状態）で上側分割体１０及び下側分割体２０を保持することができるように構成されている。カムクランプ５０は、軸部５１と、原動節５３と、従動節５４とを備える。軸部５１は、軸部５１の両端部がそれぞれ上側分割体１０の両側に突き出すようにカムクランプ軸部配置孔１５に配置される。軸部５１の両端部の一方が下側分割体２０に固定され、軸部５１の両端部の他方に回転軸５２が設けられる。原動節５３は、回転軸５２まわりに回転するカム部分５３ａと、カム部分５３ａに固定されたレバー部分５３ｂとを備える。従動節５４は、軸部５１に沿って移動可能なようにカム部分５３ａと上側分割体１０との間に設けられ、カム部分５３ａ及び上側分割体１０と係合する。
【００２７】
電線挿入ガイド溝形成面１１と電線挿入ガイド溝形成面２１とが合わされて上側分割体１０及び下側分割体２０が結合体２を形成したとき、電線挿入ガイド溝１２及び電線挿入ガイド溝２２は電線挿入ガイド孔５を形成し、電線引き抜き溝１３及び電線引き抜き溝２３は電線引き抜き孔６を形成する。
【００２８】
尚、電線挿入ガイド孔５及び電線引き抜き孔６は２つの位置決めガイド３０の間に配置されても良く、また、２つの位置決めガイド３０の外側に配置されても良い。
【００２９】
図１Ｂを参照して、電線挿入ガイド孔５は結合体２の一方側３から他方側４へ貫通する。電線挿入ガイド溝形成面１１と電線挿入ガイド溝形成面２１とが合わされた状態では、電線挿入ガイド溝形成面１１、電線挿入ガイド溝形成面１２、及び電線挿入ガイド孔５の中心線は同一平面上に配置される。電線挿入ガイド孔５は、一方側３に開口した円筒部分５ａと、他方側４から円筒部分５ａに向かって先細りとなるように形成されたテーパ部分５ｂとを備える。図１Ｂに示されていないが、電線引き抜き孔６も結合体２の一方側３から他方側４へ貫通する。尚、電線引き抜き孔６は円筒部分５ａよりも十分に広く形成されている。
【００３０】
図１Ｃを参照して、円筒部分５ａの内径がＤ１で示され、テーパ部分５ｂの最も狭い部分の内径がＤ２で示されている。
【００３１】
図２を参照して、本実施形態に係る電線挿入補助治具１を用いた電線挿入方法を説明する。電線挿入方法は、ステップＳ１〜ステップＳ６を備える。
【００３２】
ステップＳ１において、作業者はレバー部分５３ｂを手で持ってカムクランプ５０を操作することで上側分割体１０を下側分割体２０に押し付けて、電線挿入ガイド溝形成面１１と電線挿入ガイド溝形成面２１とが合わされるように上側分割体１０と下側分割体２０とを結合する。詳細には、原動節５３の回転により従動節５４及び上側分割体１０が下側分割体２０の方へ移動し、上側分割体１０が下側分割体２０へ押し付けられる。これにより、結合体２が形成される。電線挿入ガイド溝形成面１１と電線挿入ガイド溝形成面２１とが合わされることで、電線挿入ガイド溝１２及び電線挿入ガイド溝２２が電線挿入ガイド孔５を形成し、電線引き抜き溝１３及び電線引き抜き溝２３が電線引き抜き孔６を形成する。
【００３３】
ステップＳ４において上側分割体１０及び下側分割体２０を分離するまで、上側分割体１０及び下側分割体２０は、カムクランプ５０によって電線挿入ガイド溝形成面１１と電線挿入ガイド溝形成面２１とが合わされた状態で保持される。したがって、作業者はステップＳ２及びステップＳ３において両手を自由に使うことができる。
【００３４】
ステップＳ２において、作業者は結合体２の一方側３から電線挿入ガイド孔５の円筒部分５ａにコンタクトピン（不図示）を挿入する。
【００３５】
ステップＳ３において、作業者は結合体２の他方側４から電線挿入ガイド孔５のテーパ部分５ｂを介してコンタクトピンに電線（不図示）を挿入して、電線にコンタクトピンを装着する。このとき、電線がテーパ部分５ｂを囲む電線挿入ガイド溝１２及び２２の表面によって案内されるため、電線を素早く且つ確実にコンタクトピンに挿入することができる。尚、テーパ部分５ｂの最も狭い部分の内径Ｄ２がコンタクトピンの内径より小さいと、電線の先端がコンタクトピンの端面に引っかかることが防がれる。したがって、テーパ部分５ｂの最も狭い部分の内径Ｄ２は円筒部分５ａの内径Ｄ１より小さいことが好ましい。
【００３６】
ステップＳ４において、作業者はレバー部分５３ｂを手で持ってカムクランプ５０を操作することで上側分割体１０及び下側分割体２０を分離する。詳細には、原動節９３の回転により、従動節９４及び上側分割体１０の可動範囲が下側分割体２０から遠ざかる方向に延長されることで、上側分割体１０及び下側分割体２０の電線挿入ガイド溝形成面１１と電線挿入ガイド溝形成面２１とが合わされた状態での保持が解除されろ。その結果、電線挿入ガイド溝形成面１１と電線挿入ガイド溝形成面２１との間に隙間が形成されるように、ばね体４０が上側分割体１０及び下側分割体２０を分離する。ばね体４０によって上側分割体１０と下側分割体２０とが分離されるため、作業性が優れている。
【００３７】
ステップＳ５において、作業者は、上側分割体１０と下側分割体２０の間において、電線をコンタクトピンと一緒に電線挿入ガイド溝１２及び電線挿入ガイド溝２２に対応する位置から電線引き抜き溝１３及び電線引き抜き溝２３に対応する位置へと移動する。
【００３８】
ステップＳ６において、作業者は、電線をコンタクトピンと一緒に上側分割体１０及び下側分割体２０の間から引き抜く。電線引き抜き溝１３及び電線引き抜き溝２３に対応する位置から電線を引き抜くことで、電線挿入ガイド溝１２及び電線挿入ガイド溝２２に対応する位置から電線を引き抜く場合に比べて、コンタクトピンと上側分割体１０及び下側分割体２０との間に十分な距離が確保される。したがって、電線を引き抜くときにコンタクトピンが上側分割体１０又は下側分割体２０に接触してコンタクトピンが電線から外れることが防がれる。上側分割体１０及び下側分割体２０にそれぞれ電線引き抜き溝１３及び電線引き抜き溝２３を設けることで、電線挿入ガイド溝形成面１１と電線挿入ガイド溝形成面２１との間の隙間が小さい場合であっても、電線を上側分割体１０及び下側分割体２０の間から引き抜く作業が容易になる。電線挿入ガイド溝形成面１１と電線挿入ガイド溝形成面２１との間の隙間が小さくてもよいと、電線挿入補助治具１の小型化が容易である。
【００３９】
電線を引き抜いた後、作業者は、電線とコンタクトピンとを圧着する。
【００４０】
本実施形態によれば、位置決めガイド３０が上側分割体１０及び下側分割体２０の一方を他方に対して直線的に案内するため、ステップＳ１で形成される電線挿入ガイド孔５の形状の精度が高い。つまり、電線挿入ガイド孔５の円筒部５ａに挿入されたコンタクトピンと電線挿入ガイド孔５のテーパ部５ｂとの間に芯ずれが生じることが防止される。したがって、本実施形態に係る電線挿入補助治具１及び電線挿入方法によれば、極小径のコンタクトピンへ細物電線を挿入する場合であっても作業品質及び作業性が優れている。
【００４１】
更に、カムクランプ５０の簡単な操作で上側分割体１０と下側分割体２０との結合及び分離を行うことができるため、本実施形態に係る電線挿入補助治具１は作業性が優れている。
【００４２】
（第２の実施形態）
図３を参照して、本発明の第２の実施形態に係る電線挿入補助治具１を説明する。本実施形態に係る電線挿入補助治具１は、第１の実施形態に係る電線挿入補助治具１と同様に、上側分割体１０と、下側分割体２０と、位置決めガイド３０と、ばね体４０とを備えるが、カムクランプ５０を備えない。本実施形態に係る電線挿入補助治具１は、更に、取っ手６０と、ストッパ７０とを備える。取っ手６０は、例えばピックドノブであり、上側分割体１０に固定される。ストッパ７０は、上側分割体１０と下側分割体２０とが所定の距離を越えて離れることを制限する。ストッパ７０は、例えば、上側分割体１０が下側分割体２０から所定の距離だけ離れたときに上側分割体１０を停止するように下側分割体２０に固定されたショルダーボルトである。
【００４３】
本実施形態に係る電線挿入補助治具１を用いた電線挿入方法は、第１の実施形態に係る電線挿入補助治具１を用いた電線挿入方法と同様にステップＳ１〜ステップＳ６を備えるが、ステップＳ１〜ステップＳ４の細部が第１の実施形態と異なる。
【００４４】
ステップＳ１において、作業者は取っ手６０を手で持って上側分割体１０を下側分割体２０に押し付けて、電線挿入ガイド溝形成面１１と電線挿入ガイド溝形成面２１とが合わされるように上側分割体１０と下側分割体２０とを結合する。これにより、結合体２が形成される。電線挿入ガイド溝形成面１１と電線挿入ガイド溝形成面２１とが合わされることで、電線挿入ガイド溝１２及び電線挿入ガイド溝２２が電線挿入ガイド孔５を形成し、電線引き抜き溝１３及び電線引き抜き溝２３が電線引き抜き孔６を形成する。
【００４５】
ステップＳ４において上側分割体１０及び下側分割体２０を分離するまで、作業者は上側分割体１０及び下側分割体２０を電線挿入ガイド溝形成面１１と電線挿入ガイド溝形成面２１とが合わされた状態で保持する。
【００４６】
ステップＳ２において、作業者は、上側分割体１０及び下側分割体２０を電線挿入ガイド溝形成面１１と電線挿入ガイド溝形成面２１とが合わされた状態で保持しながら、結合体２の一方側３から電線挿入ガイド孔５の円筒部分５ａにコンタクトピン（不図示）を挿入する。
【００４７】
ステップＳ３において、作業者は、上側分割体１０及び下側分割体２０を電線挿入ガイド溝形成面１１と電線挿入ガイド溝形成面２１とが合わされた状態で保持しながら、作業者は結合体２の他方側４から電線挿入ガイド孔５のテーパ部分５ｂを介してコンタクトピンに電線（不図示）を挿入して、電線にコンタクトピンを装着する。
【００４８】
ステップＳ４において、作業者は、上側分割体１０及び下側分割体２０を電線挿入ガイド溝形成面１１と電線挿入ガイド溝形成面２１とが合わされた状態で保持していた力を緩めることで上側分割体１０及び下側分割体２０を分離する。ここで、力を緩めることは、作業者が取って６０から手を離す場合と話さない場合とを含む。詳細には、力が緩められることで、ばね体４０は上側分割体１０がストッパ７０によって停止されるまで上側分割体１０を下側分割体２０から遠ざける。その結果、電線挿入ガイド溝形成面１１と電線挿入ガイド溝形成面２１との間に隙間が形成されるように上側分割体１０及び下側分割体２０が分離される。
【００４９】
ステップＳ５及びＳ６は第１の実施形態の場合と同じである。
【００５０】
本実施形態に係る電線挿入補助治具１は操作に慣れるまでに時間を要するが、慣れた作業者が本実施形態に係る電線挿入補助治具１を用いると第１の実施形態に係る電線挿入補助治具１を用いた場合に比べて作業速度が速くなる。
【００５１】
以上、実施形態を参照して本発明による電線挿入補助治具及び電線挿入方法を説明したが、本発明による電線挿入補助治具及び電線挿入方法は、上記実施形態に限定されない。例えば、電線引き抜き溝１２及び２２は設けられなくてもよく、ステップＳ５を実行せずにステップＳ６において電線挿入ガイド溝１２及び電線挿入ガイド溝２２に対応する位置から電線を引き抜いてもよい。また、ばね体４０を設けずに作業者が手で上側分割体１０と下側分割体２０を分離してもよい。
【符号の説明】
【００５２】
１…電線挿入補助治具
２…結合体
３…一方側
４…他方側
５…電線挿入ガイド孔
５ａ…円筒部分
５ｂ…テーパ部分
６…電線引き抜き孔
１０…上側分割体
２０…下側分割体
１１、２１…電線挿入ガイド溝形成面
１２、２２…電線挿入ガイド溝
１３、２３…電線引き抜き溝
１５…カムクランプ軸部配置孔
２５…位置決めガイド配置孔
３０…位置決めガイド
４０…ばね体
５０…カムクランプ
５１…軸部
５２…回転軸
５３…原動節
５３ａ…カム部分
５３ｂ…レバー部分
５４…従動節
６０…取っ手
７０…ストッパ
Ｄ１、Ｄ２…内径
【図１Ａ】
0005364754.tif 000002
【図１Ｂ】
0005364754.tif 000003
【図１Ｃ】
0005364754.tif 000004
【図２】
0005364754.tif 000005
【図３】
0005364754.tif 000006